(57)【要約】      （修正有）【課題】顔の広い範囲を覆うことで、ウィルスの侵入を防止できるようにしたマスクを提供する。【解決手段】マスク１は、マスク本体２と、このマスク本体２を着用者の顔に固定する固定手段３とを有する。マスク本体２は、伸縮性を有する素材（生地）によって筒状に形成する。このマスク本体２は、その周方向の全周に亘って、筒心方向に沿う長さが一定になっている。マスク本体２は、その筒心方向の一端部から着用者の頭を入れ、他端部から顔を出すことで、着用者の顔に着けることができるように構成する。【選択図】図１
0003154668.tif 000002
【実用新案登録請求の範囲】
【請求項１】
着用者の顔の前面側から側面側を覆うことが可能な面積を有する筒状で伸縮自在なマスク本体と、このマスク本体を着用者の顔に固定するための固定手段とを備えてなることを特徴とするマスク。
【請求項２】
前記固定手段は、マスク本体の上下方向における端部に設けられるとともに伸縮自在な弾性体を有するとともに、弾性体の弾性力復元力を介してマスク本体を着用者の顔に固定するように構成されてなる請求項１に記載のマスク。
【請求項３】
前記マスク本体には、着用者の口や鼻にマスク本体の内面が密着しないように離間させる離間手段が設けられる請求項１又は２に記載のマスク。
【請求項４】
前記マスク本体には、水分を吸収保持可能な水分保持部が設けられている請求項１から３のいずれか１項に記載のマスク。
【考案の詳細な説明】
【技術分野】
【０００１】
本考案は、抗菌性を高く発揮するためのマスクに関する。
【背景技術】
【０００２】
例えば、抗菌用のマスクは、顔の前面側、特に口と鼻の周囲を覆うことが可能な四角形上のマスク本体と、このマスク本体に設けられるとともに、マスク本体を所定の取り付け位置に固定するために、耳に掛けられる環状の掛止部（掛止紐部）とを有するものが一般的である。
【考案の概要】
【考案が解決しようとする課題】
【０００３】
従来のマスクは、マスク本体が、口と鼻を覆うための最小限度の面積を有する構成とされているため、このマスク本体の縁部から内側の口や鼻にインフルエンザや風邪のウィルスを伴う外気が侵入するおそれがある。
【０００４】
これを防止するには、例えば、顔の前面側のみならず、顔の側面から前面に亘る広い範囲をマスク本体で覆うことが望ましい。
【０００５】
本考案は、このような事情に鑑みてなされたものであり、顔の広い範囲を覆うことで、ウィルスの侵入を防止できるようにしたマスクを提供することを課題とする。
【課題を解決するための手段】
【０００６】
本考案に係るマスクは、上記の課題を解決するためのもので、着用者の顔の前面側から側面側を覆うことが可能な面積を有する筒状で伸縮自在なマスク本体と、このマスク本体を着用者の顔に固定するための固定手段とを備えてなることを特徴とする。
【０００７】
かかる構成によれば、マスク本体が着用者の顔の前面側から側面側を覆うような筒状に構成されていることから、着用者の顔の広い範囲を覆うことができる。これにより、着用者の口、鼻から体内へのウィルスの侵入を防止できるようになる。また、本考案に係るマスクは、固定手段によってマスク本体を着用者の顔に固定できることから、マスク本体が着用者の顔の広い範囲を覆った状態を長期にわたって維持できる。
【０００８】
また、本考案に係るマスクは、前記固定手段が、マスク本体の上下方向における端部に設けられるとともに伸縮自在な弾性体を有するとともに、弾性体の弾性力復元力を介してマスク本体を着用者の顔に固定するように構成されることが望ましい。
【０００９】
かかる構成によれば、固定手段を、伸縮自在な弾性体で構成し、その弾性復元力を介してマスク本体を着用者の顔に固定することで、マスク本体が着用者の顔を覆った状態を長期にわたって維持できるようになる。
【００１０】
また、本考案に係るマスクは、前記マスク本体に、着用者の口や鼻にマスク本体の内面が密着しないように離間させる離間手段が設けられることが望ましい。
【００１１】
かかる構成によれば、離間手段によって、着用者の口や鼻にマスク本体が密着しなくなるので、着用者は、息苦しさを感じることなく、マスクを長期間着用することができる。
【００１２】
また、本考案に係るマスクは、前記マスク本体に、水分を吸収保持可能な水分保持部が設けられていることが望ましい。
【００１３】
かかる構成によれば、着用者の口の近傍に水分保持部を位置づけるとともに、水分保持部に水分を保持させることによって、この水分保持部を通過する空気が湿気を帯びて着用者の口から吸入されることになり、これによって着用者の喉の乾燥を抑制することができる。しかも、この水分保持部に、例えば殺菌性のある次亜塩素酸水溶液をしみ込ませることで、水分保持部を通過する空気を殺菌した上で、着用者の口から吸入させることで、着用者の体内へのウィルスの侵入をより効果的に低減できるようになる。
【考案の効果】
【００１４】
本考案によれば、顔の広い範囲を覆うことで、ウィルスの侵入を防止できるようになる。
【図面の簡単な説明】
【００１５】
【図１】マスクの第１実施形態を示す斜視図である。
【図２】同じくマスクの側面図である。
【図３】離間手段（ワイヤー）を示す平面図である。
【図４】マスクの第２実施形態を示す側面図である。
【図５】マスクの第３実施形態を示す裏面図である。
【考案を実施するための形態】
【００１６】
以下、本考案を実施するための形態を、図面を参照しながら詳細に説明する。
【００１７】
図１〜図３は、マスクの第１実施形態を示す。本実施形態におけるマスク１は、マスク本体２と、このマスク本体２を着用者の顔に固定する固定手段３とを有する。
【００１８】
マスク本体２は、伸縮性を有する素材（生地）によって筒状に形成されている。このマスク本体２は、その周方向の全周に亘って、筒心方向に沿う長さが一定になっている。マスク本体２は、その筒心方向の一端部から着用者の頭を入れ、他端部から顔を出すことで、着用者の顔に着けることができる。
【００１９】
マスク本体２は、その筒心方向の各端部２ａがその中途部２ｂよりも伸縮性の高い弾性素材によって構成されており、この部分が前記固定手段３となっている。固定手段３は、着用者の顔に着けられたときに伸張し、これによって弾性復元力を生じる。固定手段３は、この弾性復元力によってマスク本体２の筒心方向の端部２ａが着用者の顔に押さえつけられ、これによって着用者の顔に確実に固定される。
【００２０】
マスク本体２の筒心方向の中途部２ｂには、着用者の口又は鼻に近傍のマスク本体２の部分が、この口又は鼻に密着しないように離間させる離間手段４が設けられている。離間手段４は、図３に示すように、平面視Ｕ字状の弾性体からなる。
【００２１】
本実施形態では、マスク本体２の筒心方向に間隔をおいて複数の弾性体が設けられている。この離間手段４は、筒状のマスク本体２の内面に、その周方向に設けられている。この離間手段４は、マスク本体２の内部に配置することも可能である。
【００２２】
この離間手段４は、例えば、形状記憶合金その他の金属による金属線（ワイヤー）、樹脂その他の材料によって構成される。離間手段４であるＵ字状の弾性体は、着用者の顔の側部に当接可能な一対の当接部４ａ，４ａを有する。この当接部４ａは、マスク１が着用者の顔に着けられたとき、この顔の側部に当接することで、当接部４ａ間に形成されている湾曲部４ｂが若干外側に押し広げられて弾性変形する。
【００２３】
離間手段４は、このときの湾曲部４ｂの弾性復元力によって、当接部４ａが着用者の顔の側部に押し当てられることで、着用者の顔に、固定される。このとき、湾曲部４ｂの内側に着用者の口や鼻が位置するように、マスク本体２を着用すると、湾曲部４ｂが、マスク本体２を口や鼻から離間させる。これにより、湾曲部４ｂと着用者の口等との間に空間ができる。
【００２４】
また、マスク本体２には、水分を吸収保持可能な水分保持部が設けられていることが望ましい。この水分保持部には、厚さが厚くて吸水性が高い布材や、スポンジ等が用いられる。この水分保持部は、水分を吸収して湿った状態を所定時間（例えば２〜３時間）維持できるように構成される。
【００２５】
この水分保持部は、着用者の口の近傍に位置づけられることが望ましい。より具体的には、水分保持部は、離間手段４によって着用者の口から離間されているマスク本体２の一部に設けられていることが望ましい。この水分保持部は、霧吹き（噴霧器）によって水、殺菌水等が吹き付けられることで、その水分を保持できるようになっている。
【００２６】
また、この水分保持部の近傍位置に水分（水や殺菌水等）を貯める小型の貯水タンクを設け、この貯水タンクから、水分保持部に水分を案内する案内管を設け、貯水タンクから水分を供給することで、より長時間にわたって、水分保持部が水分を保持できるようにマスク本体２を構成してもよい。なお、案内管による貯水タンクから水分保持部への水分の移動は、例えば、毛細管現象を利用することにより為される。
【００２７】
また、マスク本体２の内面において、水分保持部を覆うように、水の粒子を通過させずに空気を通過させることが可能な層（布部材等）を設けることによって、水分保持部が着用者の肌に直接接触することを防止することができる。これによって、着用者は、違和感や不快感を感じることなくマスク１を使用することができるようになる。
【００２８】
以上説明した本実施形態におけるマスク１によれば、マスク本体２を筒状に構成していることから、これを着用者の顔に着けたときに、顔の広い範囲をマスク本体２を覆うことができる。これによって、着用者の口や鼻からウィルスが侵入することを可及的に防止できるようになる。
【００２９】
また、マスク本体２は、弾性素材から構成される固定手段３によって着用者の顔に固定されることから、マスク本体２が着用者の顔からずれることがなく、長期にわたって快適に使用できる。
【００３０】
また、前記離間手段４によって、着用者の口や鼻に対応する部分がこれらから離れるようになるため、着用者は、マスク１を着用していても息苦しくなく、長時間に亘って快適に使用できるようになる。
【００３１】
また、水分保持部に水分を保持させることによって、この水分保持部を通過する空気が湿気を帯び、この空気を着用者が吸引することで、着用者の喉の乾燥を抑制できるようになる。
【００３２】
また、例えば、次亜塩素酸水溶液（次亜塩素酸ナトリウム水溶液）を水分保持部に吹き付けて浸みこませることによって、水分保持部を通過する空気を殺菌することができ、これによって、着用者の体内へのウィルスの侵入を防止でき、風邪、インフルエンザ、アレルギー等の予防に特に効果的になる。このように、次亜塩素酸水溶液をマスク本体２の水分保持部に吹き付けて使用する場合には、その殺菌効果を向上すべく、黒色に着色したマスク本体２を使用することが望ましい。また、マスク本体２にヒータを設けて次亜塩素酸水溶液の殺菌効果が最適となる温度に加熱するようにしてもよい。
【００３３】
また、マスク１を使用しない場合には、マスク本体２を取り外すことなく、顔から下方にずらして着用者の首の回りに位置させることで、ネックウォーマとしても使用でき、この点においても特に有用である。
【００３４】
図４は、マスク１の第２実施形態を示す。本実施形態に係るマスク１は、固定手段３の形態が第１実施形態と異なる。本実施形態に係るマスク１は、第１の固定手段３ａと、第２の固定手段３ｂの２つの固定手段３を有する。
【００３５】
本実施形態では、筒状のマスク本体２の筒心方向の各端部には、その周方向の全周に亘って、固定手段３を収容する収容空間（以下「収容部」という）５が形成されており、第１の固定手段３ａは、この収容部５に収容されている。本実施形態では、第１の固定手段３ａとして環状の弾性体が採用される。より具体的には、第１の固定手段３ａは、例えば、ゴム紐やゴムによって環状に構成されている。
【００３６】
図４に示すように、本実施形態における第２の固定手段３ｂは、マスク本体２の筒心方向の端部２ａに設けられている。この第２の固定手段３ｂは、例えば、弾性変形可能な紐部材（ゴム紐等）によって構成される。より具体的には、第２の固定手段３ｂは、紐部材の各端部がマスク本体２の筒心方向の一端部に固定され、これによってマスク本体２とともに環状に構成されている。
【００３７】
本実施形態では、筒状のマスク本体２に着用者の頭と通すとともに、着用者の顔の前面側から側面側に亘る部分を覆った状態で、第１の固定手段３ａが、着用者の顔に押し広げられて弾性変形し、これによる弾性復元力によって、マスク本体２を着用者の顔に固定する。さらに、第２の固定手段３ｂを着用者の耳に掛けることによって、マスク本体２を着用者の顔に確実に固定することができる。
【００３８】
本実施形態のその他の構成は、第１実施形態と同様であり、本実施形態が第１実施形態と共通する要素には共通符号を付してその説明を割愛する。本実施形態においても第１実施形態と同様の作用効果を奏する。
【００３９】
図５は、マスク１の第３実施形態を示す。本実施形態に係るマスク１は、固定手段３の構成が第１実施形態と異なる。第１実施形態に係るマスク１の固定手段３は、弾性変形可能な素材によって構成されていたが、本実施形態に係るマスク１の固定手段３は、必ずしも弾性変形可能な構成を必要としない。
【００４０】
マスク本体２は、第１実施形態と同様に筒状に構成されており、この筒心方向の各端部に、その周方向の全周に連続状に固定手段３の収容空間（収容部５）が形成されている。本実施形態では、固定手段３として、紐部材が採用される。
【００４１】
この紐部材は、その中途部がマスク本体２の収容部５に収容されている。また、マスク本体２の収容部５には複数の貫通孔６（例えば、１つの収容部５に対して２つ）が形成されており、固定手段３としての紐部材の端部３ｃが、この貫通孔６に挿通されて、収容部５の外に突出している。
【００４２】
より具体的には、前記貫通孔６は、マスク本体２の周方向において所定の間隔で離れて形成されており、２つの貫通孔６から紐部材の端部３ｃの長さは、ほぼ同じになっている。
【００４３】
この固定手段３は、筒状のマスク本体２に着用者の頭を通し、顔の前面側から側面側の部分を覆った後、固定手段３としての紐部材の端部３ｃが突出している部分を着用者の後頭部側に位置せしめ、紐部材の端部３ｃ同士を結ぶことで、マスク本体２の筒心方向の端部２ａを締め付けることができる。この締め付けにより、マスク本体２は、着用者の顔に確実に固定されるようになっている。
【００４４】
本実施形態のその他の構成は、第１実施形態と同様であり、本実施形態が第１実施形態と共通する要素には共通符号を付してその説明を割愛する。本実施形態においても第１実施形態と同様の作用効果を奏する。
【００４５】
なお、本考案は上記の実施形態に限らず、種々の変更・変形が可能である。
【００４６】
例えば、上記の実施形態では、マスク本体２の筒心方向に沿う長さが、マスク本体２の周方向で一定とされた例を示したが、これに限らず、例えば、マスク本体２において、着用者の顔の前面側を覆う部分の長さを長くし、着用者の後頭部に位置する部分の長さを短くしててもよい。このように、本考案に係るマスク１は、着用者の顔のうち、少なくとも前面側から側面側に亘る広範囲の覆うことでウィルスの体内への侵入を効果的に防止できる。
【００４７】
上記の実施形態では、マスク本体２に離間手段４が設けられていたが、これを設けなくても良い。また、上記の実施形態では、離間手段４としてＵ字状の弾性体を例示したが、これに限定されるものではなく、他の種々の形状のものを離間手段４として利用できる。
【００４８】
上記の第２実施形態では、マスク本体２に第１の固定手段３ａ及び第２の固定手段３ｂの２つの固定手段３を設けた例を示したが、これに限らず、マスク本体２に第１の固定手段３ａのみを設けてもよく、また、マスク本体２に第２の固定手段３ｂのみを設けてもよい。
【００４９】
また、上記の実施形態では、マスク本体２を完全に筒状に構成した例を示したが、これに限らず、本考案において、「筒状」とは、着用者が着用した状態で、平面視においてマスク本体２が環状に構成されていることを意味する。
【００５０】
したがって、例えば、マスク本体２を帯状に構成しておき、着用者が着用するときに、着用者の後頭部の位置で、帯状のマスク本体２の端部同士を直接結んだり、連結手段を介してマスク本体２の端部同士を連結するようにしてもよい。連結手段による連結の例としては、面ファスナーを用いて帯状のマスク本体２の端部同士を重ねて連結することができる。また、マスク本体２の一端部にフック部を設け、マスク本体２の他端部にこのフック部が係合する環状の被係合部を設けることで、マスク本体２の端部同士を連結してもよい。また、帯状としたマスク本体２の端部同士が重なって連結されていなくてもよく、例えば、マスク本体２の端部同士が離れた状態で、紐部材等によって両者を連結することによっても、着用者が着用したときに、マスク本体２を平面視において環状に構成することが可能である。
【００５１】
また、上記の実施形態では、マスク本体２は、筒状に構成されて着用者の顔及び首に通されて使用されていたが、これに限らず、このマスク本体２の長さをより長くするとともに、その一端部側の口径を大きく構成し、着用者の両肩がマスク本体２内に入るようにしたり、着用者の上半身又は下半身の中途部までマスク本体２によって包むことができるように構成してもよく、マスク本体２と衣服とを一体に構成するようにしてもよい。
【符号の説明】
【００５２】
１…マスク、２…マスク本体、３…固定手段、３ａ…第１の固定手段、３ｂ…第２の固定手段、３ｃ…端部、４…離間手段、５…収容部、６…貫通孔
【図１】
0003154668.tif 000003
【図２】
0003154668.tif 000004
【図３】
0003154668.tif 000005
【図４】
0003154668.tif 000006
【図５】
0003154668.tif 000007